(57)【要約】【課題】  実用性の高い可動式雛壇を提供する。【解決手段】  各段ユニットの間に、隣合う２つの段ユニットの相対移動をそれらが収納状態(a)においてとるべき位置にて禁止する収納状態位置ロック機構、および、展開状態(f)においてとるべき位置にて禁止する展開状態位置ロック機構を設け、さらに、収納状態から展開状態への移行の最中において、１つの展開状態位置ロック機構よって隣合う２つの段ユニットの相対移動が禁止されるときに、その１つの展開状態位置ロック機構の直上段側に設けられた１つの収納状態位置ロック機構によってなされていた隣合う２つの段ユニットの相対移動の禁止を解除する手段を設ける。そのの手段により、確実に、複数の段ユニットを最下段の段ユニットから順次引き出すことが可能となる。【選択図】  図１３
2014101707.tif 000002
【特許請求の範囲】
【請求項１】
各段を構成する複数の段ユニットを備え、
隣合うどの２つの段ユニットの相対位置もが収納状態位置とされることで、前記複数の段ユニットの各々が、その各々の上段側の段ユニットの下方に収納される収納状態と
隣合うどの２つの段ユニットの相対位置もが展開状態位置とされることで、前記複数の段ユニットが階段状に配置される展開状態と、
に選択的になり得る可動式雛壇であって、
前記複数の段ユニットの各々の間に設けられ、それぞれが、隣合う２つの段ユニットの相対移動を前記収納状態位置において禁止する複数の収納状態位置ロック機構、および、それぞれが、隣合う２つの段ユニットの相対移動を前記展開状態位置において禁止する複数の展開状態位置ロック機構と、
前記収納状態から前記展開状態への移行の最中において、１つの展開状態位置ロック機構よって隣合う２つの段ユニットの相対移動が禁止されるときに、その１つの展開状態位置ロック機構の直上段側に設けられた１つの収納状態位置ロック機構によってなされていた隣合う２つの段ユニットの相対移動の禁止を解除する展開移行中ロック解除機構と
を備えた可動式雛壇。
【請求項２】
当該可動式雛壇が、
前記収納状態から前記展開状態への移行を開始する際に、前記複数の収納状態位置ロック機構のうちの最下段側に設けられたものによってなされていた隣合う２つの段ユニットの相対移動の禁止を解除するための展開初期ロック解除機構を備えた請求項１に記載の可動式雛壇。
【請求項３】
当該可動式雛壇が、
前記展開状態から前記収納状態への移行の最中において、１つの収納状態位置ロック機構によって隣合う２つの段ユニットの相対移動が禁止されるときに、その１つの収納状態位置ロック機構の直上段側に設けられた１つの展開状態位置ロック機構によってなされていた隣合う２つの段ユニットの相対移動の禁止を解除する収納移行中ロック解除機構を備えた請求項１または請求項２に記載の可動式雛壇。
【請求項４】
当該可動式雛壇が、
前記展開状態から前記収納状態への移行を開始する際に、前記複数の展開状態位置ロック機構のうちの最下段側に設けられたものによってなされていた隣合う２つの段ユニットの相対移動の禁止を解除するための収納初期ロック解除機構を備えた請求項３に記載の可動式雛壇。
【請求項５】
当該可動式雛壇が、
前記複数の段ユニットの各々の間に設けられ、それぞれが、隣合う２つの段ユニットの設定方向への相対移動をガイドする複数のガイド機構を備えた請求項１ないし請求項４のいずれかに１つに記載の可動式雛壇。
【発明の詳細な説明】
【技術分野】
【０００１】
本発明は、収納状態から展開することによって階段状となる可動式雛壇に関する。
【背景技術】
【０００２】
雛壇、つまり、階段状に床台が配置されるものは、観覧席等に利用されており、多目的ホール，体育館等の施設では、収納状態から展開することによって階段状となる可動式の雛壇が採用されている。そのような可動式雛壇として、例えば、下記特許文献に記載されているような雛壇が存在する。その文献に記載の雛壇では、各段を構成する複数の段ユニットのうち、最下段の段ユニットを引き出すことにより、順次、複数の段ユニットが引き出されて、展開状態となる。そして、複数の段ユニットを順次引き出すための工夫として、各段の段ユニットに対して、直上段の段ユニットとの相対位置が設定位置となった場合にその段ユニットとの相対移動を禁止する機構が設けられている。つまり、直上段の段ユニットに対して設引出定量（展開状態における引出距離）だけ引き出された場合に、直上段の床台との間のロックがかかるようにされているのである。
【先行技術文献】
【特許文献】
【０００３】
【特許文献１】特開２００６−３２８８９３号公報
【発明の概要】
【発明が解決しようとする課題】
【０００４】
しかしながら、上記特許文献に記載の雛壇では、展開時において、１つの段ユニットが直上段の段ユニットに対して上記設定引出量だけ引き出される前に、その直上段の段ユニットが引出方向に移動を開始することを必ずしも禁じ得ない。例えば、直上段の段ユニットとの間に比較的大きな摩擦が生じるような場合等には、１つの段ユニットが引き出された直後、若しくは、引き出されたのと同時に、直上段の段ユニット、或いは、直上段の段ユニットを含んだ上段側の複数段ユニットが動き出す可能性が高いのである。したがって、上記特許文献に記載の雛壇では、展開時において複数の段ユニットを最下段の段ユニットから順次引き出しを行うことについて、充分なる担保がなされておらず、円滑な展開という観点において、必ずしも、充分に良好であるとは言い難い。
【０００５】
上記特許文献に記載の雛壇についての上述の問題は、従来の可動式雛壇が抱える１つの問題の一例ではあるが、従来の可動式雛壇は、改良の余地を多分に残すものとなっている。そして、何らかの改良を行うことで、可動式雛壇の実用性を高めることができるのである。本発明は、そのような実情に鑑みてなされたものであり、実用性の高い可動式雛壇を提供することを課題とする。
【課題を解決するための手段】
【０００６】
上記課題を解決するために、本発明の可動式雛壇は、各段ユニットの間に、隣合う２つの段ユニットの相対移動をそれらが収納状態においてとるべき位置にて禁止する収納状態位置ロック機構、および、展開状態においてとるべき位置にて禁止する展開状態位置ロック機構を設け、さらに、収納状態から展開状態への移行の最中において、１つの展開状態位置ロック機構よって隣合う２つの段ユニットの相対移動が禁止されるときに、その１つの展開状態位置ロック機構の直上段側に設けられた１つの収納状態位置ロック機構によってなされていた隣合う２つの段ユニットの相対移動の禁止を解除する手段を設けたことを特徴とする。
【発明の効果】
【０００７】
本発明の可動式雛壇によれば、展開の際、１つの段ユニットがそれの直上段の段ユニットに対して設定引出量だけ引き出されたときに、それら２つの段ユニットの相対移動が禁止されることに加え、それまで禁止されていたその直上段の段ユニットとそれのさらに直上段のユニットとの相対移動が許容されるため、確実に、複数の段ユニットを最下段の段ユニットから順次引き出すことが可能となる。したがって、円滑な展開が担保され、本発明の可動式雛壇は、実用性の高いものとなる。
【発明の態様】
【０００８】
以下に、本願において特許請求が可能と認識されている発明（以下、「請求可能発明」という場合がある）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、それらの発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から何某かの構成要素を削除した態様も、請求可能発明の一態様となり得るのである。
【０００９】
なお、以下の各項において、（１）項ないし（５）項の各々が、請求項１ないし請求項５の各々に相当する。
【００１０】
（１）各段を構成する複数の段ユニットを備え、
隣合うどの２つの段ユニットの相対位置もが収納状態位置とされることで、前記複数の段ユニットの各々が、その各々の上段側の段ユニットの下方に収納される収納状態と
隣合うどの２つの段ユニットの相対位置もが展開状態位置とされることで、前記複数の段ユニットが階段状に配置される展開状態と、
に選択的になり得る可動式雛壇であって、
前記複数の段ユニットの各々の間に設けられ、それぞれが、隣合う２つの段ユニットの相対移動を前記収納状態位置において禁止する複数の収納状態位置ロック機構、および、それぞれが、隣合う２つの段ユニットの相対移動を前記展開状態位置において禁止する複数の展開状態位置ロック機構と、
前記収納状態から前記展開状態への移行の最中において、１つの展開状態位置ロック機構よって隣合う２つの段ユニットの相対移動が禁止されるときに、その１つの展開状態位置ロック機構の直上段側に設けられた１つの収納状態位置ロック機構によってなされていた隣合う２つの段ユニットの相対移動の禁止を解除する展開移行中ロック解除機構と
を備えた可動式雛壇。
【００１１】
本項の可動式雛壇が有する「段ユニット」は、１つの段を構成するユニットであり、台（床，踏面を構成する部分），脚（支柱，ベース等によって構成される部分）等が一体化されたものである。本項の可動式雛壇において、「隣合う２つの段ユニット」とは、最下段を構成する段ユニットと下から２番目の段を構成する段ユニット（以下、「２段目の段ユニット」という場合がある）、２段目の段ユニットと下から３番目の段を構成する段ユニット（以下、「３段目の段ユニット」と言う場合がある）、・・・、最上段の直ぐ下の段を構成する段ユニットと最上段を構成する段ユニットのように、上下方向に合う２つの段ユニットを意味する。本項の可動式雛壇においては、隣合う２つの段ユニットの相対位置に関して、「収納状態位置」，「展開状態位置」の２つの位置が設定されている。前者は、それら隣合う２つの段ユニットが収納状態において位置すべき位置であり、後者は、展開状態において位置すべき位置である。
【００１２】
本項の可動式雛壇では、各段ユニットがある方向に移動させられることで、収納状態から展開状態に移行し、その方向とは反対方向に移動させられることで、展開状態から収納状態に移行する。各段ユニットの移動方向に関して、前者の方向を「展開方向」と呼び、後者の方向を「収納方向」と呼ぶこととする。同様に、隣合う２つの段ユニットの相対移動に関しても、便宜的に、それら隣合う２つの段ユニットが上記収納状態位置から上記展開状態位置に移行する相対移動方向を「展開方向」と呼び、上記展開状態位置から上記収納状態位置に移行する相対移動方向を「収納方向」と呼ぶこととする。
【００１３】
本項の可動式雛壇は、最上段の段ユニットが固定的に設置されるものであってもよく、また、最上段の段ユニットが何らかの固定物に対して展開方向および収納方向に移動可能とされるものであってもよい。また、複数の段ユニットの各々が上段側の段ユニットの下方に収納されることに関して、厳密に言えば、本項の可動式雛壇では、複数の段ユニットのうちの最上段のものを除くものの各々が、その各々の上段側の段ユニットの下方に収納されることになる。
【００１４】
本項の可動式雛壇においては、隣合う２つの段ユニットの間に、上記「収納状態位置ロック機構」と「展開状態位置ロック機構」とが設けられている。つまり、対をなす２つの「ロック機構」が設けられている。それら対をなす２つのロック機構は、どの隣合う２つの段ユニットの間にも設けられており、本項の可動式雛壇においては、収納状態において、どの隣合う２つの段ユニットの間に設けられた収納状態位置ロック機構によっても、隣合う２つの段ユニットの相対移動が収納状態位置において禁止され、展開状態において、どの隣合う２つの段ユニットの間に設けられた展開状態位置ロック機構によっても、隣合う２つの段ユニットの相対移動が展開状態位置において禁止されることになる。ちなみに、最上段の段ユニットが何らかの固定物に対して展開方向および収納方向に移動可能とされるものである場合は、その固定物と最上段の段ユニットとの間にも、それら２つのロック機構と同じ機能を有する２つのロック機構を設けてもよい。なお、以下の説明において、説明を簡単にするために、相対移動の禁止を「ロック」と呼び、その相対移動の禁止の解除を、「ロック解除」、若しくは、「ロックの解除」と呼ぶことがあることとする。
【００１５】
本項の可動式雛壇では、「展開移行中ロック解除機構」によって、展開時において、１つの展開状態位置ロック機構よって隣合う２つの段ユニットがロックされるときに、すなわち、その展開状態位置ロック機構によって相対移動が禁止される隣合う２つの段ユニットの相対位置が展開状態位置となったときに、その１つの展開状態位置ロック機構の直上段側に設けられた１つの収納状態位置ロック機構によってなされていた隣合う２つの段ユニットのロックが解除される。この「１つの展開状態位置ロック機構の直上段側に設けられた１つの収納状態位置ロック機構」とは、１つの展開状態位置ロック機構によってロックされる隣合う２つの段ユニットのうちの上段側の１つと、その１つのさらに上段側に配置された段ユニットとの間に設けられた収納状態位置ロック機構を意味する。解り易く説明するために、１つの展開状態位置ロック機構によってロックされる隣合う２つの段ユニットのうちの下段側の１つを、「下段ユニット」と、上段側の１つを、「中段ユニット」と、その中段ユニットの上段側に配置された段ユニットを、「上段ユニット」と呼べば、展開移行中ロック解除機構によって、下段ユニットと中段ユニットとが展開状態位置においてロックされるときに、それまでの中段ユニットと上段ユニットとの収納状態位置におけるロックが解除される、つまり、中段ユニットと上段ユニットとの相対移動が許容されることになる。
【００１６】
上記展開移行中ロック解除機構の作用によって、本項の可動式雛壇では、最下段の段ユニットが展開方向に移動して２段目の段ユニットとの相対位置が展開状態位置となった際に、最下段の段ユニットと２段目の段ユニットとがロックされるとともに、２段目の段ユニットと３段目の段ユニットとの収納状態位置におけるロックが解除され、それらの段ユニットの相対移動が許容される。続いて、展開状態位置においてロックされている最下段の段ユニットと２段目の段ユニットとが展開方向に一体的に移動して２段目の段ユニットと３段目の段ユニットとの相対位置が展開状態位置となった際に、３段目段ユニットと４段目の段ユニットとの収納状態位置におけるロックが解除され、それらの段ユニットの相対移動が許容される。このようなロックおよびロックの解除が上段側に向かって繰り返されることで、本項の可動式雛壇では、１つの段ユニットが直上段の段ユニットに対して上記設定引出量（展開状態における引出距離）だけ引き出される前に、その直上段の段ユニットが展開方向に移動を開始することが防止されることになる。その結果、本項の可動式雛壇では、確実に、複数の段ユニットを最下段の段ユニットから順次引き出すことが可能となり、円滑な展開が担保されることになる。
【００１７】
上述した展開移行中ロック解除機構の機能に鑑みれば、展開移行中ロック解除機構は、１つの展開状態位置ロック機構によるロックと、それの直上段側の１つの収納状態位置ロック機構によるロックの解除とを連動させるロック機構連動機構と解することもできる。また、最上段の段ユニットが何らかの固定物に対して展開方向および収納方向に移動可能とされるものである場合は、その固定物と最上段の段ユニットとの間にも、収納状態位置ロック機構および展開状態位置ロック機構を設け、最上段の直ぐ下の段を構成する段ユニットと最上段を構成する段ユニットとの間に設けられた展開状態位置ロック機構によってそれら２つの段ユニットがロックされるときき、最上段の段ユニットと固定物との間に設けられた収納状態位置ロック機構によってなされているそれら２つの段ユニットのロックを解除する展開移行中ロック解除機構を設ければよい。なお、展開移行中ロック解除機構を、１つの展開状態位置ロック機構によるロックと、それの直上段側の１つの収納位置ロック機構によるロックの解除とを連動させるものと捉えることで、当該可動式雛壇に１以上の展開移行中ロック解除機構が設けられていると考えることができるが、それら１以上の展開移行中ロック解除機構によって、１つの展開移行中ロック解除機構が構成されていると考えることもできる。
【００１８】
本項の可動式雛壇は、最下段の段ユニットが操作者の人力によって移動させられるものであってもよく、電動モータ，油圧シリンダ等、機械的，電気的な何らかの駆動力によって移動させられるものであってもよい。最下段の段ユニットが人力によって移動させられるように構成された可動式雛壇の場合に、上記展開移行中ロック解除機構は、円滑な展開に対して、特に有効である。具体的に言えば、１つの展開状態位置ロック機構によるロックととそれの直上段側の１つの収納状態位置ロック機構によるロックの解除とのタイミングを調整することにより、下段側の段ユニットの移動に対する慣性力（イナーシャ）を上段側の段ユニットに作用させて、その慣性力を利用して上段側の段ユニットを移動させることが可能となる。つまり、慣性力を利用した展開が可能となることで、本項の可動式雛壇は、比較的小さな力で容易に展開させることができるのである。
【００１９】
なお、本項の可動式雛壇は、それの用途が特に限定されるものではない。先に説明した観覧席の他、集合写真において被撮影者が並ぶ段床や、何らかのものが陳列，配置等される台等、人，物が複数段にわたって配置される階段状の台床に広く適用することが可能である。
【００２０】
（２）当該可動式雛壇が、
前記収納状態から前記展開状態への移行を開始する際に、前記複数の収納状態位置ロック機構のうちの最下段側に設けられたものによってなされていた隣合う２つの段ユニットの相対移動の禁止を解除するための展開初期ロック解除機構を備えた(1)項に記載の可動式雛壇。
【００２１】
本項の可動式雛壇では、「展開初期ロック解除機構」によって、最下段の段ユニットと２段目の段ユニットとの収納状態位置におけるロックが解除されることで、最下段の段ユニットの展開のための移動が許容されることになる。本展開初期ロック解除機構と上述の展開移行中ロック解除機構とによって、展開時において機能する展開時ロック解除機構が構成されると考えることができ、それら展開移行中ロック解除機構と展開初期ロック解除機構とを総称して、「展開時ロック解除機構」と呼ぶ場合があることとする。
【００２２】
（３）当該可動式雛壇が、
前記展開状態から前記収納状態への移行の最中において、１つの収納状態位置ロック機構によって隣合う２つの段ユニットの相対移動が禁止されるときに、その１つの収納状態位置ロック機構の直上段側に設けられた１つの展開状態位置ロック機構によってなされていた隣合う２つの段ユニットの相対移動の禁止を解除する収納移行中ロック解除機構を備えた(1)項または(2)項に記載の可動式雛壇。
【００２３】
本項の可動式雛壇における「収納移行中ロック解除機構」は、上述の展開移行中ロック解除機構とは逆の機能を有する機構であり、簡単に言えば、収納時において、隣合う２つの段ユニットの収納状態位置におけるロックを解除する機構である。この収納移行中ロック解除機構によって、収納時において、１つの収納状態位置ロック機構よって隣合う２つの段ユニットがロックされるときに、すなわち、その収納状態位置ロック機構によって相対移動が禁止される隣合う２つの段ユニットの相対位置が収納状態位置となったときに、その１つの収納状態位置ロック機構の直上段側に設けられた１つの展開状態位置ロック機構によってなされていた隣合う２つの段ユニットのロックが解除される。つまり、収納移行中ロック解除機構によって、下段ユニットと中段ユニットとが収納状態位置においてロックされるときに、それまでの中段ユニットと上段ユニットとの展開状態位置におけるロックが解除される、つまり、中段ユニットと上段ユニットとの相対移動が許容されることになる。
【００２４】
上記収納移行中ロック解除機構の作用によって、本項の可動式雛壇では、最下段の段ユニットが収納方向に移動して２段目の段ユニットとの相対位置が収納状態位置となった際に、最下段の段ユニットと２段目の段ユニットとがロックされるとともに、２段目の段ユニットと３段目の段ユニットとの展開状態位置におけるロックが解除され、それらの段ユニットの相対移動が許容される。続いて、収納状態位置においてロックされている最下段の段ユニットと２段目の段ユニットとが収納方向に一体的に移動して２段目の段ユニットと３段目の段ユニットとの相対位置が収納状態位置となった際に、３段目段ユニットと４段目の段ユニットとの展開状態位置におけるロックが解除され、それらの段ユニットの相対移動が許容される。このようなロックおよびロックの解除が上段側に向かって繰り返されることで、本項の可動式雛壇では、１つの段ユニットが直上段の段ユニットに対して上記設定引出量に相当する距離だけ押し戻される前に、その直上段の段ユニットが収納方向に移動を開始することが防止されることになる。その結果、本項の可動式雛壇では、確実に、複数の段ユニットを最下段の段ユニットから順次押し戻すことが可能となり、円滑な収納が担保されることになる。
【００２５】
上述した収納移行中ロック解除機構の機能を鑑みれば、収納移行中ロック解除機構は、１つの収納状態位置ロック機構によるロックと、それの直上段側の１つの展開状態位置ロック機構によるロックの解除とを連動させるロック機構連動機構と解することもできる。また、最上段の段ユニットが何らかの固定物に対して展開方向および収納方向に移動可能とされるものである場合は、その固定物と最上段の段ユニットとの間にも、収納状態位置ロック機構および展開状態位置ロック機構を設け、最上段の直ぐ下の段を構成する段ユニットと最上段を構成する段ユニットとの間に設けられた収納状態位置ロック機構によってそれら２つの段ユニットがロックされるときに、最上段の段ユニットと固定物との間に設けられた展開状態位置ロック機構によってなされているそれら２つの段ユニットのロックを解除する展開移行中ロック解除機構を設ければよい。なお、展開移行中ロック解除機構と同様、収納移行中ロック解除機構を、１つの収納状態位置ロック機構によるロックと、それの直上段側の１つの展開位置ロック機構によるロックの解除とを連動させるものと捉えることで、当該可動式雛壇に１以上の収納移行中ロック解除機構が設けられていると考えることができるが、それら１以上の収納移行中ロック解除機構によって、１つの収納移行中ロック解除機構が構成されていると考えることもできる。
【００２６】
本項の可動式雛壇が、最下段の段ユニットが人力によって移動させられるように構成された可動式雛壇の場合に、上記収納移行中ロック解除機構は、円滑な収納に対して、特に有効である。具体的に言えば、１つの収納状態位置ロック機構によるロックととそれの直上段側の１つの展開状態位置ロック機構によるロックの解除とのタイミングを調整することにより、下段側の段ユニットの移動に対する慣性力（イナーシャ）を上段側の段ユニットに作用させて、その慣性力を利用して上段側の段ユニットを移動させることが可能となる。つまり、慣性力を利用した収納が可能となることで、本項の可動式雛壇は、比較的小さな力で容易に収納することができるのである。
【００２７】
（４）当該可動式雛壇が、
前記展開状態から前記収納状態への移行を開始する際に、前記複数の展開状態位置ロック機構のうちの最下段側に設けられたものによってなされていた隣合う２つの段ユニットの相対移動の禁止を解除するための収納初期ロック解除機構を備えた(3)項に記載の可動式雛壇。
【００２８】
本項の可動式雛壇では、「収納初期ロック解除機構」によって、最下段の段ユニットと２段目の段ユニットとの展開状態位置におけるロックが解除されることで、最下段の段ユニットの収納のための移動が許容されることになる。本収納初期ロック解除機構と上述の収納移行中ロック解除機構とによって、収納時において機能する収納時ロック解除機構が構成されると考えることができ、それら収納移行中ロック解除機構と収納初期ロック解除機構とを総称して、「収納時ロック解除機構」と呼ぶ場合があることとする。
【００２９】
（５）当該可動式雛壇が、
前記複数の段ユニットの各々の間に設けられ、それぞれが、隣合う２つの段ユニットの設定方向への相対移動をガイドする複数のガイド機構を備えた(1)項ないし(4)項のいずれかに１つに記載の可動式雛壇。
【００３０】
本項の可動式雛壇では、上記「ガイド機構」により、隣合う２つの段ユニットの展開方向および収納方向への相対移動が、好適に案内されることになり、適切な方向の展開および収納が実現されることになる。ガイド機構は、具体的には、例えば、隣合う２つの段ユニットの一方に設けられたガイドレール（レールの形状を有しているものだけではなく、形状に拘わらず、ガイドレールとして機能する部分をも含む概念である）と、他方に設けられてガイドレールに対して摺動，転動等可能に係合する係合体とを含んで構成することが可能である。
【００３１】
（６）前記複数の収納状態位置ロック機構の各々が、
隣合う２つの段ユニットの一方に固定的に設けられた第１係止部材と、
それら隣合う２つの段ユニットの他方に設けられ、前記係止部材によって係止されることが可能な係止可能位置と、係止されることが不能な係止不能位置との間で動作可能な第１被係止部材と
を有し、
前記第１被係止部材が前記係止可能位置にある状態において前記隣合う２つの段ユニットの相対位置が前記収納状態位置となった場合に、前記第１被係止部材が前記第１係止部材によって係止されて、それら隣合う２つの段ユニットの相対移動を禁止するように構成されるとともに、
前記第１被係止部材が前記係止不能位置とされることで、前記第１係止部材による前記第１被係止部材の係止が解除されて、前記２つの段ユニットの相対移動の禁止が解除されるように構成され、
前記複数の展開状態位置ロック機構の各々が、
隣合う２つの段ユニットの一方に固定的に設けられた第２係止部材と、
それら隣合う２つの段ユニットの他方に設けられ、前記第２係止部材によって係止されることが可能な係止可能位置と、係止されることが不能な係止不能位置との間で動作可能な第２被係止部材と
を有し、
前記第２被係止部材が前記係止可能位置にある状態において前記隣合う２つの段ユニットの相対位置が前記展開状態位置となった場合に、前記第２被係止部材が前記第２係止部材によって係止されて、それら隣合う２つの段ユニットの相対移動を禁止するように構成されるとともに、
前記第２被係止部材が前記係止不能位置とされることで、前記第２係止部材による前記第２被係止部材の係止が解除されて、前記２つの段ユニットの相対移動の禁止が解除されるように構成された(1)項ないし(5)項のいずれか１つに記載の可動式雛壇。
【００３２】
本項の態様は、収納状態位置ロック機構および展開状態位置ロック機構（以下、総称して、単に「ロック機構」と呼ぶ場合がある）の具体的構造に関しての限定を加えた態様である。本項の可動式雛壇では、「第１被係止部材」および「第２被係止部材」（以下、総称として、単に「被係止部材」と言う場合がある）が係止可能位置にある場合において、隣合う２つの段ユニットが相対移動してそれぞれ収納状態位置および展開状態位置に位置したときに、それら被係止部材がそれぞれ「第１係止部材」および「第２係止部材」（以下、総称として、単に「係止部材」と呼ぶ場合がある）によって係止され、自動的に、それら隣合う２つの段ユニットがそれぞれ収納状態位置および展開状態位置においてロックされることになる。本項の可動式雛壇では、比較的構造の簡単なロック機構が実現されることになる。
【００３３】
なお、係止部材および被係止部材は、相対的な概念であるが、互いに係合する２つの部材のいずれが係止部材として機能し、いずれが被係止部材として機能するかは、形状によって決まるものではない。具体的に言えば、ピンと、そのピンと係合するスロットを有する部材やそのピンに引っ掛かるフック状の部材等の係合部材とが、係止部材と被係止部材とを構成する場合、ピンが係止部材として、係合部材が被係止部材として機能してもよく、逆に、係合部材が係止部材として、ピンが被係止部材として機能してもよいのである。つまり、互いに係止し合う２つの部材のうち、上記係止可能位置と上記係止不能位置との間で動作可能な部材が被係止部材として機能し、固定的に設けられた部材が係止部材とし機能すると考えればよいのである。
【００３４】
（７）前記展開移行中ロック解除機構が、
前記収納状態から前記展開状態への移行の最中において、前記１つの展開状態位置ロック機構よって相対移動が禁止される隣合う２つの段ユニットの相対位置が前記展開状態位置となった場合に、その１つの展開状態位置ロック機構の直上段側に設けられた前記１つの収納状態位置ロック機構が有する前記第１被係止部材を前記係止不能位置に位置させるように構成された(6)項に記載の可動式雛壇。
【００３５】
（８）当該可動式雛壇が、
前記収納状態から前記展開状態への移行を開始する際、前記複数の収納状態位置ロック機構のうちの最下段側に設けられたものによってなされていた隣合う２つの段ユニットの相対移動の禁止を解除するための展開初期ロック解除機構を備え、
その展開初期ロック解除機構が、
当該可動式雛壇の操作者が行う操作によって、前記複数の収納状態位置ロック機構のうちの最下段側に設けられたものが有する前記第１被係止部材を前記係止不能位置に位置させるように構成された(6)項または(7)項に記載の可動式雛壇。
【００３６】
（９）当該可動式雛壇が、
前記収納状態から前記展開状態への移行の最中において、１つの収納状態位置ロック機構によって隣合う２つの段ユニットの相対移動が禁止されるときに、その１つの収納状態位置ロック機構の直上段側に設けられた１つの展開状態位置ロック機構によってなされていた隣合う２つの段ユニットの相対移動の禁止を解除する収納移行中ロック解除機構を備え、
その収納移行中ロック解除機構が、
前記１つの収納状態位置ロック機構よって相対移動が禁止される隣合う２つの段ユニットの相対位置が前記収納状態位置となった場合に、その１つの収納状態位置ロック機構の直上段側に設けられた前記１つの展開状態位置ロック機構が有する前記第２被係止部材を前記係止不能位置に位置させるように構成された(6)項ないし(8)項のいずれか１つに記載の可動式雛壇。
【００３７】
（１０）当該可動式雛壇が、
前記展開状態から前記収納状態への移行を開始する際、前記複数の展開状態位置ロック機構のうちの最下段側に設けられたものによってなされていた隣合う２つの段ユニットの相対移動の禁止を解除する収納初期ロック解除機構を備え、
その収納初期ロック解除機構が、
当該可動式雛壇の操作者が行う操作によって、前記複数の展開状態位置ロック機構のうちの最下段側に設けられたものが有する前記第２被係止部材を前記係止不能位置に位置させるように構成された(6)項ないし(9)項のいずれか１つに記載の可動式雛壇。
【００３８】
上記４つの項の態様は、上記ロック機構の構造に関連して、それぞれ、展開移行中ロック解除機構，展開初期ロック解除機構，収納移行中ロック解除機構，収納初期ロック解除機構（以下、総称して、単に「ロック解除機構」と呼ぶ場合がある）の具体的機能に限定を加えた態様である。それらの態様の可動式雛壇によれば、上記ロック機構の構造に依拠して、単に被係止部材を係止不能位置に動作させることで、ロック機構によるロックを解除することが可能であり、比較的構造の簡単なロック解除機構が実現されることになる。
【００３９】
（１１）当該可動式雛壇が、前記展開状態において階段状の観客席として機能する(1)項ないし(10)項のいずれか１つに記載の可動式雛壇。
【００４０】
本項の可動式雛壇では、それの用途が観客席に限定されている。観客席としての可動式雛壇は、各段ユニットの重量が比較的大きいため、上記展開移行中ロック解除機構による効果、つまり、円滑な展開の担保という効果を充分に享受することが可能である。また、上記収納移行中ロック解除機構をも備える場合、さらに、円滑な収納の担保という効果をも充分に享受することが可能となる。なお、最下段の段ユニットが人力によって移動させられる可動式雛壇においては、上述の慣性力を利用した展開が可能となることで、比較的小さな力で容易に展開させることができることとなり、上記収納移行中ロック解除機構をも備える場合には、上述の慣性力を利用した収納をもが可能となることで、比較的小さな力で容易に収納させることができるのである。
【図面の簡単な説明】
【００４１】
【図１】実施例の可動式雛壇の収納状態および展開状態のそれぞれを示す斜視図である。
【図２】収納状態における可動式雛壇を示す側面図である。
【図３】展開状態における可動式雛壇を示す側面図である。
【図４】可動式雛壇を構成する最下段の段ユニットおよび下から３番目の段ユニットを示す側面図である。
【図５】可動式雛壇を構成する最上段ユニットを示す側面図である。
【図６】可動式雛壇の左側下部を示す背面図である。
【図７】可動式雛壇の各段ユニットの左側の脚を構成するチャンネルベースを収納状態において示す平面図であるとともに、収納状態におけるロック機構およびロック解除機構に関する可動式雛壇の部分平面図である。
【図８】収納状態におけるロック機構およびロック解除機構に関する可動式雛壇の部分側面図である。
【図９】ロック機構およびロック解除機構に関する可動式雛壇の背面図である。
【図１０】収納状態から展開状態への移行中におけるロック機構およびロック解除機構に関する可動式雛壇の部分平面図である。
【図１１】収納状態から展開状態への移行中におけるロック機構およびロック解除機構に関する可動式雛壇の部分側面図である。
【図１２】最下段の段ユニットと下から２段目の段ユニットとのロックを解除するロック解除機構の一部であって、操作者によって操作される部分を示す平面図である。
【図１３】展開時の可動式雛壇の動作を説明するための側面図である。
【図１４】収納時の可動式雛壇の動作を説明するための側面図である。
【発明を実施するための形態】
【００４２】
以下、請求可能発明を実施するための形態として、請求可能発明の実施例である可動式雛壇を、図を参照しつつ詳しく説明する。なお、請求可能発明は、下記実施例の他、前記〔発明の態様〕の項に記載された形態を始めとして、当業者の知識に基づいて種々の変更、改良を施した種々の形態で実施することができる。
【実施例】
【００４３】
実施例の可動式雛壇（以下、単に、「雛壇」という場合がある）１０は、図１（ａ）に示す収納状態と、図１（ｂ）に示す展開状態とに選択的になり得るものであり、収納状態から収納状態に移行し（以下、その移行を、単に「展開」と言う場合がある）によって、展開状態から収納状態に移行する（以下、その移行を、単に「収納」と言う場合がある。本雛壇１０は、多目的ホール，体育館等に設置され、収納状態において壁内部に収納され、前面が壁面を構成する状態となる。そして、展開状態において、壁から引き出された状態となり、観客席として機能する。以下に、本雛壇１０の基本構造と、円滑な展開，収納を行うために設けられたロック機構およびロック解除機構と、それらの機構を有するが故に特徴的なものとなる展開時，収納時における本雛壇１０の動作について、順次説明する。
【００４４】
≪可動式雛壇の基本構造≫
雛壇１０は、各段を構成する複数の段ユニットとして、５つの段ユニット１２を含んで構成されている。添え字ａ〜ｅを付して、各段ユニット１２を区別すれば、５つの段ユニット１２は、最下段を構成する最下段ユニット１２ａ，下から２段目を構成する２段目ユニット１２ｂ，下から３段目を構成する３段目ユニット１２ｃ，下から４段目を構成する４段目ユニット１２ｄ，下から５段目つまり最上段を構成する最上段ユニット１２ｅからなる。ちなみに、後の説明において、各段ユニット１２の構成要素についても、それがどの段ユニット１２のものであるかを区別する必要がある場合には、段ユニット１２の添え字ａ〜ｅと同じ添え字ａ〜ｅを付すことがあることとする。なお、以下の説明において、各段ユニット１２の展開，収納における移動方向は設定方向とされており、図１に示すように、引き出される方向、つまり、展開される方向を「展開方向」と、押し込まれる方向、つまり、収納される方向を「収納方向」と言うこととする。また、展開状態における最下段ユニット１２ａの側が前側つまり正面側、最上段ユニット１２ｅの側が後側つまり背面側であり、それに従って、当該雛壇１０に関する前後、正面，背面を呼び分けることとする。さらに、正面から見て左側を当該雛壇１０の左側、右側を当該雛壇１０の右側と呼ぶこととする。
【００４５】
収納状態における側面図である図２、展開状態における側面図である図３、最下段ユニット１２ａ，３段目ユニット１２ｃ，最上段ユニット１２ｅのそれぞれの側面図である図４（ａ），図４（ｂ），図５、および、当該雛壇１０の左側の下部となる部分の背面図である図６（図５におけるVI−VI視）を参照しつつ、各段ユニット１２について説明すれば、各段ユニット１２は、いずれも、台１４と、その台１４の左右の端部を支持する１対の脚１６とが一体化されて構成されており、それぞれが高さにおいて異なるものの、互いに略同じ構造とされている。ちなみに、２段目ユニット１２ｂおよび４段目ユニット１２ｄは、３段目ユニット１２ｃと、概ね１対の脚１６の長さおよび互いの左右方向における間隔だけが異なるものであるため、それら２段目ユニット１２ｂおよび４段目ユニット１２ｄの側面図は省略するものとする。なお、各段ユニット１２は、略左右対称の構造とされている。
【００４６】
台１４は、角パイプが枠状組み合わされて躯体として機能するフレーム２０と、そのフレーム２０の上面に貼着された床板２２を有している。また、台１４は、床板２２の前方においてフレーム２０の上部に固定された座ベース２４と、その座ベース２４の上面に貼着された座板２６とを有している。座ベース２４は、後方に開口する概して溝形をなしてフレーム２０の全幅に亘って左右に延びるベース本体と、そのベース本体を補強すべく間隔をおいて左右方向に並ぶように配置された複数の補強リブとを含んで構成されている。雛壇１０が展開状態とされた場合において、各段ユニット１２の座板２６の上に、観客が腰掛け、それら観客の足は、直下の段ユニット１２の床板２２の上に（最下段ユニット１２ａの座板２６に腰かける場合は、建屋の床に）置かれる。
【００４７】
また、台１４は、床板２２の後方においてフレーム２０の上部に固定された後部ビーム２８と、最上段ユニット１２ｅの台１４を除き、その後部ビーム２８の後方においてフレーム２０の上部に立設された複数の背柱３０とを有している。後部ビーム２８は、角パイプによって形成され、フレーム２０の全幅に亘って左右に延びている。複数の背柱３０は、角パイプによって形成され、間隔をおいて左右方向に並ぶようにして配置されている。複数の背柱３０の各々の上部には、ローラホルダ３２が付設されており、そのローラホルダ３２によって、ローラ３４が回転可能に保持されている。さらに、各台１４の前面には、蹴込板３６が貼着されている。各蹴込板３６の前面は、当該雛壇１０が収納状態とされている場合に、面一となり、それら蹴込板３６の前面によって、壁面が構成される。ちなみに、最下段ユニット１２ａの蹴込板３６の幅（高さ寸法）は、他の段ユニット１２ｂ〜１２ｅの蹴込板３２の幅よりも広くされている。
【００４８】
１対の脚１６は、下方に開口する溝形のチャンネルベース４０と、そのチャンネルベース４０の後部おいてそのチャンネルベース４０に立設されるとともに上部が台１４を構成するフレーム２０に固定された支柱４２とを含んで構成されている。各チャンネルベース４０は、前後に延びるようにして配置されており、各チャンネルベース４０には、３つの車輪４４が、前後方向に並ぶようにして回転可能に保持されている。各脚１６を構成する支柱４２は、角パイプからなり、上端において台１４を構成するフレーム２０の下面後端に固定されている。１対の脚１６は、下段側の段ユニット１２ほど、左右方向において台１６の内側を支持するようにされている。つまり、１対の脚１６の左右方向における間隔は、下段側の段ユニット１２ほど、より小さくされており、上下方向に隣合う２つの段ユニット１２（以下、単に「隣合う段ユニット１２」という場合がある）の１対の脚１６の間隔差は、一定とされている。一方、１対の脚１６の長さは、下段側の段ユニット１２ほど、より短くされている。つまり、台１４の高さは、下段側の段ユニット１２ほど低くされており、隣合う段ユニット１２の高さの差（いわゆる「段差」である）も、一定とされている。ちなみに、各段ユニット１２を構成する台１４のフレーム２０の後端部は、１対の脚１６の各々の上端が固定される箇所およびそれらの箇所の間の部分だけが、後部ビーム２８よりも後方にはみ出している。
【００４９】
収納状態における左側の各脚１６のチャンネルベース４０の配置を示す図７（図６におけるVII−VII視）を参照しつつさらに説明すれば、本雛壇１０では、収納状態において、右側，左側それぞれの各脚１６のチャンネルベース４０は、前後方向において互いに同じ位置に配列されるとともに、比較的小さい間隔を置いて等ピッチで左右方向に並ぶようにされている。それらチャンネルベース４０の左右方向の外側には、それらチャンネルベース４０と同じ長さの１対の固定チャンネル４６が、開口を下に向けた姿勢で床に、固定物として固定されている。各固定チャンネル４６は、チャンネルベース４０どうしの間隔と同じ間隔を置いて、前後方向において同じ位置に、左右方向において最も外側のチャンネルベース４０と並んで配置されている。
【００５０】
なお、図６から解るように、最下段ユニット１２ａを除く各段ユニット１２は、脚１６の傾斜を防止するために、背面に、ブレス（筋交）４８が付設されている。最下段ユニット１２ａには、ブレス４８が設けられていないが、自身の下方に収容される段ユニットが存在しないことから、最下段ユニット１２ａでは、図７からも解るように、１対の脚１６ａのそれぞれのチャンネルベース４０が連結材５０によって繋がれている。この連結材５０は、角パイプからなり、前後に１本ずつ配置されている。さらに、図４（ａ）から解るように、最下段ユニット１２ａでは、台１４の前方の部分が上方からの荷重によって下がることを防止するために、前方の連結材５０およびチャンネルベース４０の前端部と、台１４を構成するフレーム２０の下面前端との間に、複数の補助支柱５２が配設されている。
【００５１】
上述した各段ユニット１２の構造によって、本雛壇１０では、収納状態において、図１（ａ），図２に示すように、複数の段ユニット１２の各々（最上段ユニット１２ｅを除く）は、その各々の上段側の段ユニット１２の下方に収納される。言い換えれば、その各々の上段側のユニット１２の内部に、すっぽりと収納されるのである。この収納状態において、隣合う２つの段ユニット１２の相対位置は、「収納状態位置」となっていると考えることができる。詳しく言えば、隣合うどの２つの段ユニット１２の相対位置もが収納状態位置となっているのである。
【００５２】
一方、図１（ｂ），図３に示すように、展開状態では、各段ユニット１２が、直上段の段ユニット１２に対して設定引出量（展開状態における引出距離）Ｌだけ引き出されている。ちなみに、最上段ユニット１２ｅも、固定チャンネル４６に対して、設定引出量Ｌ引き出されている。各段ユニット１２の引出における設定引出量Ｌは、互いに同じ量とされている。この展開状態において、隣合う２つの段ユニット１２の相対位置（最上段ユニット１２ｅの場合は、固定チャンネル４６に対する位置）は、「展開状態位置」となっていると考えることができる。詳しく言えば、隣合うどの２つの段ユニット１２の相対位置もが展開状態位置となっているのである。
【００５３】
収納状態から展開状態への移行は、各段ユニット１２を前方に引き出すことによって行われ、展開状態から収納状態への移行は、各段ユニット１２を前方に引き出すことによって行われる。それらの移行、つまり、展開および収納は、各段ユニット１２が有する車輪４４の転動を伴うものであり、各段ユニット１２のその引出しの方向および押込みの方向、すなわち、展開方向およびは収納方向は、概ね、車輪４４の転動方向によって決まる。しかしながら、展開方向および収納方向が必ずしも適正なものとはならない可能性に鑑み、各段ユニット１２の展開方向および収納方向をより適正なものにするため、詳しく言えば、隣合う段ユニット１２の設定方向における相対移動を適正なものにするため、隣合う２つの段ユニット１２の間には、その相対移動をガイドするガイド機構が設けられている。このガイド機構については、図を参照しつつ後述するため、ここでの説明は省略する。
【００５４】
なお、最上段ユニット１２ｅを除く４つの段ユニット１２ａ〜１２ｄの各々が有する上記ローラ３４は、展開時、および、収納時に、直ぐ上の段の段ユニット１２ｂ〜１２ｅを構成するフレーム２０の下面を転動する。ちなみに、各フレーム２０のローラ３４が接する部分には、そのローラ３４の転動面を形成すべく、角パイプが、枠の中間材として、前後方向に延びる姿勢で配設されている。上記４つの段ユニット１２ａ〜１２ｄの各々を構成する台１４の前方の部分にかかる上方からの荷重は、直ぐ下の段ユニット１２ｂ〜１２ｅのローラ３４，そのローラ３４設けられている背柱３０を介して、直ぐ下の段ユニット１２ｂ〜１２ｅの脚１６の支柱４２によって支え受けられる。そのような構造によって、展開状態において、最上段ユニット１２ｅを除く４つの段ユニット１２ａ〜１２ｄの各々の台１６の前方の部分が上方からの荷重によって下がることが、防止されている。
【００５５】
≪ロック機構およびロック解除機構≫
本雛壇１０は、隣合う２つの段ユニット１２の相対移動を禁止する（以下、そのことを「ロック」と言う場合がある）ロック機構を備えており、また、最上段ユニット１２ｅと固定物である固定チャンネル４６との間にも、それらの相対移動、つまり、最上段ユニット１２ｅの固定チャンネル４６に対する移動を禁止する同様のロック機構を備えている。一方、それらのロック機構による隣合う２つの段ユニット１２の相対移動の禁止を解除する（以下、そのことを「ロックの解除」若しくは「ロック解除」と言う場合がある）ロック解除機構をも備えている。以下に、それらの機構に関する平面図としての上記図７，側面図としての図８（図７におけるVIII−VIII視），背面図としての図９（図７におけるIX−IX視）を参照しつつ、それらの機構について説明する。なお、それら図に示すものは当該雛壇１０の左側に設けられたロック機構およびロック解除機構であるが、当該雛壇１０の右側にも同様のロック機構およびロック解除機構が設けられている。右側に設けられたロック機構およびロック解除機構は、左側に設けられものと右側に設けられたものとは、概ね、構造が左右対称となっていることだけが異なるため、以下の説明では、左側のものだけを説明して、右側のものの説明については省略することとする。
【００５６】
i）ロック機構
各脚１６を構成するチャンネルベース４０の上面には、支柱４２の左右方向における外側に、支持プレート６０が、立設固定されている。この支持プレート６０には、それぞれが被係止部材として機能する１対の揺動カム６２，６４が、揺動可能に支持されている。詳しく言えば、それら揺動カム６２，６４の一方である第１揺動カム６２が、第１被係止部材として、他方である第２揺動カム６４が、第２被係止部材として、それぞれ機能する。一方、それら揺動カム６２，６４をそれぞれ係止する係止部材としての１対の係止ピン６６，６８が、最下段ユニット１２ａを除く各段ユニット１２の各々チャンネルベース４０の上面に、補強プレート７０を介して、それぞれ固定されている。詳しく言えば、１対の係止ピン６６，６８の一方である第１係止ピン６６が、第１揺動カム６２を係止する第１係止部材として、第２係止ピン６８が、第２揺動カム６４を係止する第２係止部材として、それぞれ機能する。１対の揺動カム６２，６４は、それらが設けられているチャンネルベース４０の直上段側（「上段側における直ぐ上のもの」を意味する）のチャンネルベース４０に固定された１対の係止ピン６６，６８によって、それぞれ係止される。したがって、１対の係止ピン６６，６８は、最下段ユニット１２ａのチャンネルベース４０には固定されておらず、その一方で、固定チャンネル４６の上面に固定されている。揺動カム６２，６４および係止ピン６６，６８は、いずれの段ユニット１２若しくは固定チャンネル４６に設けられているものも、収納状態において前後方向に同じ位置に配置されるように設けられている。
【００５７】
被係止部材である揺動カム６２，６４は、スロット７２が形成されており、このスロット７２に係止ピン６６，６８が嵌り込むことによって、係止部材である係止ピン６６，６８によってそれぞれ係止される。図８では、第１揺動カム６２のスロット７２に第１係止ピン６６が嵌り込んで、第１揺動カム６２が第１係止ピン６６によって係止されている状態が示されている。揺動カム６２，６４は、係止ピン６６，６８によって係止されることが可能な位置である「係止可能位置」と、係止ピン６６，６８によっては係止されることが不能な位置である「係止不能位置」との間で回転動作するようにされている。なお、係止可能位置から係止不能位置への動作については、後に詳しく説明するが、係止不能位置から係止可能位置への動作は、揺動カム６２，６４の自重によって行われる。言い換えれば、外部から何らかの力が作用しないかぎり、揺動カム６２，６４は、係止可能位置を維持するようにされているのである。
【００５８】
図７，図８は、本雛壇１０が収納状態となっている場合の図であり、上述したように、収納状態では、隣合う２つの段ユニット１２の相対位置は収納状態位置にある。それら２つの段ユニット１２が収納状態位置にあるときには、図８から解るように、第１揺動カム６２は、係止可能位置に位置させられ、直上段の段ユニット１２の第１係止ピン６６が第１揺動カム６２スロット７２に嵌り込んで、その第１係止ピン６６によって係止されている。この係止によって、隣合う２つの段ユニット１２の収納状態位置における相対移動、言い換えれば、収納状態位置からの相対移動が禁止される。つまり、隣合う２つの段ユニット１２が収納状態位置においてロックされるのである。ちなみに、収納状態位置にあるときは、第２揺動カム６４は係止不能位置に位置させられている。なお、最上段ユニット１２ｅに関して言えば、「相対位置」，「相対移動」，「相対移動の禁止」，「ロック」，後に説明する「相対移動の禁止の解除」，「ロックの解除」，「ロック解除」等は、固定チャンネル４６に対するものやことを意味するが、ロック機構およびロック解除機構に関して説明する場合、説明の簡略化に鑑み、固定チャンネル４６を最上段ユニット１２ｅのさらに上段側に存在する段ユニット１２と擬制し、最上段ユニット１２ｅと固定チャンネル４６との相対位置，相対移動，相対移動の禁止，ロック，相対移動の禁止の解除，ロックの解除，ロック解除等についても、隣合う２つの段ユニット１２の相対位置，相対移動，相対移動の禁止，ロック，相対移動の禁止の解除，ロックの解除，ロック解除等として扱うこととする。
【００５９】
一方、図１０，図１１（図におけるXI−XI視）は、当該雛壇１０が収納状態から展開状態への移行中である場合のロック機構およびロック解除機構に関する平面図，側面図をそれぞれ示している。図１０では、３つの段ユニット１２のチャンネルベース４０が示されており、それらを、便宜的に、上段ユニット１２U，中段ユニット１２M，下段ユニット１２Lと呼ぶこととすれば、上段ユニット１２Uと中段ユニット１２Mとの相対位置が収納状態位置にあり、中段ユニット１２Mと下段ユニット１２Lとの相対位置が展開状態位置にある状態を示している。図１１は、中段ユニット１２Mの揺動カム６２，６４を示しているが、第１揺動カム６２は、係止不能位置に位置させられて、上段ユニット１２Uの第１係止ピン６６による第１揺動カム６２の係止が解除された状態にある。つまり、隣合う２つの段ユニット１２である上段ユニット１２Uと中段ユニット１２Mとのロックが解除された状態となっているのである。この状態では、上段ユニット１２Uと中段ユニット１２M                                                                               との収納状態位置からの相対移動が許容されることになる。ちなみに、第２揺動カム６４は、係止可能位置に位置させられている。
【００６０】
それに対し、側面図については省略するが、下段ユニット１２Lの揺動カム６２，６４は、図１１に示す状態と同様、第１揺動カム６２が係止不能位置に位置させられ、第２揺動カム６４が係止可能位置に位置させられた状態となっている。しかし、中段ユニット１２Mの第１係止ピン６６が存在しておらず、代わりに、中段ユニット１２Mの第２係止ピン６８が第２揺動カム６４のスロット７２に嵌り入って存在する状態となっており、その第２係止ピン６８によって第２揺動カム６４が係止された状態となっている。この状態では、中段ユニット１２Mと下段ユニット１２Lとの展開状態位置における相対移動、言い換えれば、展開状態位置からの相対移動が禁止されることになる。つまり、隣合う２つの段ユニット１２である中段ユニット１２Mと下段ユニット１２Lとが、収納状態位置においてロックされるのである。
【００６１】
上述のような、揺動カム６２，６４および係止ピン６６，６８の機能に鑑みれば、本雛壇１０では、第１揺動カム６２と直上段の段ユニット１２の第１係止ピン６６とによって、隣合う２つの段ユニットの相対移動を収納状態位置において禁止する「収納状態位置ロック機構」が、１対のロック機構の一方として構成されており、その収納状態位置ロック機構が、複数の段ユニット１２の各々の間に設けられることで、本雛壇１０は、複数の収納状態位置ロック機構を有しているのである。また、同様に、本雛壇１０では、第２揺動カム６４と直上段の段ユニット１２の第２係止ピン６８とによって、隣合う２つの段ユニットの相対移動を展開状態位置において禁止する「展開状態位置ロック機構」が、１対のロック機構の他方として構成されており、その展開状態位置ロック機構が、複数の段ユニット１２の各々の間に設けられることで、本雛壇１０は、複数の展開状態位置ロック機構を有しているのである。
【００６２】
なお、第１揺動カム６２が係止可能位置にある状態において、隣合う２つの段ユニット１２が相対移動させられて収納状態位置に近づくと、第１揺動カム６２は第１係止ピン６６によって揺動させられ、それら２つの段ユニット１２が収納状態位置になったときに、第１係止ピン６６がスロット７２に嵌りこんで、第１揺動カム６２が第１係止ピン６６によって自動的に係止される。同様に、第２揺動カム６４が係止可能位置にある状態において、隣合う２つの段ユニット１２が相対移動させられて展開状態位置に近づくと、第２揺動カム６４は第２係止ピン６８によって揺動させられ、それら２つの段ユニット１２が展開状態位置になったときに、第２係止ピン６８がスロット７２に嵌りこんで、第２揺動カム６４が第２係止ピン６８によって自動的に係止される。このように、収納状態位置ロック機構および展開状態位置ロック機構は、ともに簡単な構造の機構とされているのである。
【００６３】
ii）ロック解除機構
図７〜図９から解るように、最下段ユニット１２ａを除く各段ユニット１２の各脚１６を構成するチャンネルベース４０の上方には、前後方向に延びる姿勢で、作動ロッド８０が配設されている。作動ロッド８０は、支柱４２を貫通する状態でその支柱４２よって、かつ、チャンネルベース４０の後部上面に固定された支持ブラケット８２によって、前後方向にスライド可能に支持されている。作動ロッド８０の後端，前端には、それぞれ、作動ロッド８０より径の大きな第１端部座８４，第２端部座８６が締結されている。第１端部座８４と支持ブラケットの間には、作動ロッド８０を挿入させた状態で、スプリング（圧縮コイルスプリングである）８８が配設されており、作動ロッド８０は、そのスプリング８８の付勢力によって、後方に向かって付勢されている。作動ロッド８０には、支持ブラケット４０の前方において、第１解除プレート９０が固定されており、その第１解除プレート９０が、スペーサ９２を介して支持ブラケット８２によって係止されることによって、スプリング８８の付勢力による作動ロッド８０の設定位置を超えた後方への移動が禁止される。一方、直下段側の段ユニット１２の各々の脚１６を構成する支柱４２には、支持ブロック９４を介して、第２解除プレート９６が固定支持されている。第２解除プレート９６は、概してＬ字形状をなすプレート本体とそのプレート本体を補強するリブとによって構成されている。第１解除プレート９０の先端部は、後方側から、自身が配設されている段ユニット１２に設けられた第１揺動カム６２に、第２解除プレート９６の先端部は、前方側から、自身が配設されている段ユニット１２の直上段側の段ユニット１２に設けられた第２揺動カム６４に、それぞれ係合可能とされている。
【００６４】
図７，図８は、隣合ういずれの２つの段ユニット１２との相対位置もが収納状態位置とされた状態となっており、各段ユニット１２に設けられた第１揺動カム６２に対して第１解除プレート９０は係合しておらず（最下段ユニット１２ａに関しては後述する）、すべての第１揺動カム６２は、係止可能位置に位置されられている。その結果、各段ユニット１２に設けられた第１揺動カム６２によって構成される上述の収納状態位置ロック機構によるロック、つまり、隣合ういずれ２つの段ユニット１２のロックも、上述したように、維持されている。一方、各段ユニット１２に設けられた第２揺動カム６２に対しては、直下段側の段ユニット１２に固定されている第２解除プレート９６が係合しており（最下段ユニット１２ａに関しては後述する）、その係合によって、第２揺動カム６４は、係止不能位置に位置させられている。その結果として、各段ユニット１２に設けられた第２揺動カム６４によって構成される上述の展開状態位置ロック機構によるロックが、つまり、隣合ういずれ２つの段ユニットのロックもが解除されているのである。
【００６５】
それに対し、本雛壇１０の展開に関して、図１０を参照しつつ説明すれば、中段ユニット１２Mと上段ユニット１２Uとが収納状態位置においてロックされている状態において、下段ユニット１２Lと中段ユニット１２Mとの収納状態位置におけるロックが解除されて下段ユニット１２Lが中段ユニット１２Mとに対して展開方向に移動したときには、図１１から解るように、下段ユニット１２Lに固定されている第２解除プレート９６と中段ユニット１２Mに設けられた第２揺動カム６４との上記係合が解除され、その第２揺動カム６４は、係止可能位置に位置させられる。そして、それら下段ユニット１２Lと中段ユニット１２Mとの相対位置が図１０に示す展開状態位置となったときに、図１０に示す下段ユニット１２Lと中段ユニット１２Mとのように、それら中段ユニット１２Mと上段ユニット１２Uとが展開状態位置おいてロックされるのである。一方、その際に、下段ユニット１２Lに固定されている第２解除プレート９６は、中段ユニット１２Mに設けられた作動ロッド８０の第２端部座８６に当接して、その作動ロッド８０が前方側に所定距離だけスライドさせられる。このスライドによって、その作動ロッド８０に固定されている第１解除プレート９０が第１揺動カム６２に係合し、その係合によって、その第１揺動カム６２は、係止不能位置に位置させられることになる。その結果、中段ユニット１２Mに設けられた第１揺動カム６２によって構成される上述の収納状態位置ロック機構（直上段側に設けられた収納状態位置ロック機構である）によって行われているロック、つまり、中段ユニット１２Mと上段ユニット１２Uとの収納状態位置におけるロックが解除されることになるのである。
【００６６】
図示を省略するが、本雛壇１０の収納に関して説明すると、中段ユニット１２Mと上段ユニット１２Uとが展開状態位置においてロックされている状態において、下段ユニット１２Lと中段ユニット１２Mとの展開状態位置におけるロックが解除されて下段ユニット１２Lが中段ユニット１２Mとに対して収納方向に移動する場合、後に説明するが、その移動に先立って、下段ユニット１２Lに設けられた第１揺動カム６２は、係止可能位置に位置させられている。そして、それら下段ユニット１２Lと中段ユニット１２Mとの相対位置が収納状態位置となったときに、それら下段ユニット１２Lと中段ユニット１２Mとが収納状態位置においてロックされるのである。なお、下段ユニット１２Lが中段ユニット１２Mに対して展開状態位置から収納方向に移動したときに、中段ユニット１２Mに設けられている作動ロッド８０の第２端部座８６から、下段ユニット１２Lに固定された第２解除プレート９６が離れることで、その作動ロッド８０が上記設定距離だけスライドして戻され、その作動ロッド８０に固定されている第１解除プレート９０と第１揺動カム６２との係合が解除される。その結果、その第１揺動カム６２が係止可能位置に位置させられる。つまり、そのようにして、各段ユニット１２の収納方向へ移動に先立って、各段ユニット１２に設けられた第１揺動カム６２が係止可能位置に位置させられるのである（段ユニット１２が最下段ユニット１２ａである場合については後述する）。一方、下段ユニット１２Lと中段ユニット１２Mとが収納状態位置においてロックされる際、下段ユニット１２Lに固定されている第２解除プレート９６が中段ユニット１２Mに設けられている第２揺動カム６４と係合し、その係合によって、その第２揺動カム６４は、係止不能位置に位置させられることになる。その結果、中段ユニット１２Mに設けられた第２揺動カム６４によって構成される上述の展開状態位置ロック機構（直上段側に設けられた展開状態位置ロック機構である）によるロック、つまり、中段ユニットMと上段ユニット１２Uとの展開状態位置におけるロックが解除されることになるのである。
【００６７】
最下段ユニット１２ａと２段目ユニット１２ｂとのロックの解除に関して特に説明すれば、本雛壇１０では、図７に示すように、最下段ユニット１２ａの１対の脚１６の各々を構成する支柱４２を左右方向における内側から前後に取り巻くようにて配設された最下段用の解除具１００が配設されている。この解除具１００は、平面視において概してチャンネル形状をなし、１対のフランジの一方が上記第１解除プレート９０と同様の機能を有する第１解除部１０２とされ、他方が上記第２解除プレート９６と同様の機能を有する第２解除部１０４とされている。解除具１００には、鍔状に形成された連結部１０６が設けられており、左側の解除具１００と右側の解除具１００とは、それぞれの連結部１０６において、角パイプにて形成されて左右方向に延びるように配設された連結桿１０８によって固定的に連結されている。
【００６８】
図１２に示すように、連結桿１０８は、最下段ユニット１２ａの上記連結材５０の後方側のものによって、１対のブラケット１１０を介して、前後方向にスライド可能に支持されており、連結桿１０８の左右方向における中央の部分には、その中央の部分から前方に延びる姿勢で、操作ロッド１１２が回転可能に取り付けられている。操作ロッド１１２は、連結材５０の前方側のものに固定された軸受１１４によって、回転可能かつ前後方向にスライド可能に保持されている。操作ロッド１１２の中間部には座金１１６が固着されており、その座金１１６と軸受１１４との間には、スプリング（圧縮コイルスプリングである）１１８が、操作ロッド１１２を挿入させる状態で配設されている。このスプリング１１８の付勢力によって、操作ロッド１１２，連結桿１０８，１対の解除具１００は、後方に向かって付勢されている。ちなみに連結桿１０８が１対のブラケット１１０によって係止されることで、図７に示す位置よりも後方に１対の解除具１００が位置しないようにされている。
【００６９】
操作ロッド１１２の前端部には、レバー１２０が付設されており、当該雛壇１０の操作者は、このレバー１２０を手前に向かって引くことで、１対の解除具１００が前方に向かって設定距離移動する。レバー１２０が軸受１１４から引き出された位置において、レバー１２０を回動させることで、１対の解除具１００は、その移動した位置において自身の位置が維持される。１対の解除具１００を元の位置に戻す場合は、レバー１２０を反対方向に回動させればよく、スプリング１１８の付勢力によって、なお、操作者によるレバー１２０の操作は、最下段ユニット１２ａの蹴込板３６に設けられた開口１２２に手を入れるようにして行われる。ちなみに、この開口１２２は図１にも示されているが、図１では、開閉可能な蓋によってその開口１２２は塞がれている。
【００７０】
解除具１００が図７に示す位置に位置する場合、つまり、解除具１００が後方位置に位置する場合には、第１解除部１０２が、最下段ユニット１２ａに設けられた第１揺動カム６２とは係合していない一方で、第２解除部１０４が、最下段ユニット１２ａに設けられた第２揺動カム６４と係合している。この状態では、第１揺動カム６２は係止可能位置に、第２揺動カム６４は係止不能位置に、それぞれ位置させられている。したがって、収納状態においては、つまり、最下段ユニット１２ａと２段目ユニット１２ｂとの相対位置が収納状態位置となっているときには、２段目ユニット１２ｂに固定された第１係止ピン６６によって、第１揺動カム６２が係止され、最下段ユニット１２ａと２段目ユニット１２ｂとが収納状態位置においてロックされることになる。
【００７１】
レバー１２０の操作によって解除具１００が前方に設定距離移動した状態では、つまり、解除具１００が前方位置に位置する場合には、第１解除部１０２が、最下段ユニット１２ａに設けられた第１揺動カム６２と係合する一方で、第２解除部１０４が、最下段ユニット１２ａに設けられた第２揺動カム６４とは係合していない。この状態では、第１揺動カム６２は係止不能位置に、第２揺動カム６４は係止可能位置に、それぞれ位置させられている。したがって、展開状態においては、つまり、最下段ユニット１２ａと２段目ユニット１２ｂとの相対位置が展開状態位置となっているときには、２段目ユニット１２ｂに固定された第２係止ピン６８によって第２揺動カム６２が係止され、最下段ユニット１２ａと２段目ユニット１２ｂとが展開状態位置においてロックされることになる。
【００７２】
したがって、収納状態から展開状態への移行を開始させる際、最下段ユニット１２ａと２段目ユニット１２ｂとの収納状態位置におけるロックを解除させる場合には、レバー１２０の操作によって、１対の解除具１００を前方位置に移動させればよく、逆に、展開状態から収納状態への移行を開始させる際、最下段ユニット１２ａと２段目ユニット１２ｂとの展開状態位置におけるロックを解除させる場合には、レバー１２０の操作によって、１対の解除具１００を後方位置に移動させればよい。
【００７３】
上述した第１解除プレート９０，第２解除プレート９６，解除具１００の機能、つまり、係止可能位置にある揺動カム６２，６４を係止不能位置に動作させてそれら揺動カム６２，６４の係止ピン６６，６８のそれぞれによる係止を解除する機能に鑑みれば、それら第１解除プレート９０，第２解除プレート９６，解除具１００は、上記ロック機構による隣合う２つの段ユニット１２のロックを解除するロック解除機構を構成するものとなっている。それらロック解除機構は、単に被係止部材を係止不能位置に動作させることで、ロック機構によるロックを解除することが可能であり、比較的簡単な構造のロック解除機構となっている。
【００７４】
詳しく言えば、第１解除プレート９０は、当該雛壇１０の収納状態から展開状態への移行の最中において、１つの展開状態位置ロック機構よって隣合う２つの段ユニット１２の相対移動が禁止されるときに、その１つの展開状態位置ロック機構の直上段側に設けられた１つの収納状態位置ロック機構によってなされている隣合う２つの段ユニット１２の相対移動の禁止を解除するという機能を有しており、本雛壇１０では、第１解除解除プレート９０は、「展開移行中ロック解除機構」を構成するものとなっている。一方、第２解除プレート９６は、展開状態から収納状態への移行の最中において、１つの収納状態位置ロック機構によって隣合う２つの段ユニット１２の相対移動が禁止されるときに、その１つの収納状態位置ロック機構の直上段側に設けられた１つの展開状態位置ロック機構によってなされている隣合う２つの段ユニット１２の相対移動の禁止を解除するという機能を有しており、本雛壇１０では、その第２解除プレート９６は、「収納移行中ロック解除機構」を構成するものとなっている。
【００７５】
また、解除具１００の第１解除部１０２は、収納状態から展開状態への移行を開始する際に、複数の収納状態位置ロック機構のうちの最下段側に設けられたものによってなされている隣合う２つの段ユニット１２の相対移動の禁止を解除するという機能を有しており、本雛壇１０では、解除具１００，連結桿１０８，操作ロッド１１２，レバー１２０等を含んで、「展開初期ロック解除機構」が構成されているのである。一方、解除具１００の第２解除部１０４は、展開状態から収納状態への移行を開始する際に、複数の展開状態位置ロック機構のうちの最下段側に設けられたものによってなされている隣合う２つの段ユニットの１２相対移動の禁止を解除するという機能を有しており、本雛壇１０では、解除具１００，連結桿１０８，操作ロッド１１２，レバー１２０等を含んで、「収納初期ロック解除機構」をもが構成されているのである。
【００７６】
ここで、上述のガイド機構に関する説明を行う。図７，図９に示すように、各段ユニット１２の各脚１６を構成するチャンネルベース４０の側面には、保持ブラケット１３０を介して、ガイドローラ１３２が回転可能に保持されている。詳しく言えば、各脚１６を構成するチャンネルベース４０の後端部の左右方向における外側面と、最下段ユニット１２ａが有する脚１６を除く各脚１６を構成するチャンネルベース４０の前端部の左右方向における内側面とに、それぞれ、ガイドローラ１３２が保持されている。また、固定チャンネル４６の左右方向における前端部の左右方向における内側面にも、同様のガイドローラが設けられている。後端部に設けられているガイドローラ１３２の外周面は、直上段側の段ユニット１２が有するチャンネルベース４０若しくは固定チャンネル４６の左右方向における内側面と、僅かな間隔を空けて向かいあっており、一方で、前端部に設けられているガイドローラ１３２の外周面は、直下段側の段ユニット１２が有するチャンネルベース４０の左右方向における外側面と、僅かな間隔を空けて向かいあっている。それらのガイドローラ１３２は、展開，収納の際、すなわち、隣合う２つの段ユニット１２が相対移動する際、その相対移動の方向が上述の展開方向，収納方向（設定方向である）に対してズレた場合に、向かい合う面を転動する。言い換えれば、ガイドローラ１３２は、向かい合う面と係合する係合体として機能し、その向かい合う面を、それがあたかもガイドレールとして機能するような状態で転動するのである。このような機能から、本雛壇１０には、それぞれが１対のガイドローラ１３２を含んで構成され、複数の段ユニットの各々の間に設けられて隣合う２つの段ユニットの設定方向への相対移動をガイドする複数のガイド機構１３４を備えているのである。
【００７７】
≪可動式雛壇の展開時，収納時における動作≫
本雛壇１０は、上述のロック機構，ロック解除機構の作用により、収納状態から展開状態に展開させた場合、および、展開状態から収納状態に収納させた場合、特徴的な動作を行う。以下に、図１３，図１４を参酌しつつ、展開時，収納時における動作について説明する。
【００７８】
展開時には、まず、図１３（ａ）に示す収納状態において、操作者がレバー１２０を操作することによって、上記展開初期ロック解除機構が作動し、最下段ユニット１２ａと２段目ユニット１２ｂとの収納状態位置におけるロックが解除される。この状態で、操作者が最下段ユニット１２ａを引き出すことによって、最下段ユニット１２ａが展開方向に移動する。このとき、２段目ユニット１２ｂから固定チャンネル４６までの間の各段ユニット１２は、隣合う２つの段ユニット１２が収容状態位置でロックされていることで展開方向への移動が禁止されている。
【００７９】
最下段ユニット１２ａが展開方向に移動して、図１３（ｂ）に示すように、最下段ユニット１２ａと２段目ユニット１２ｂとの相対位置が展開状態位置となった場合に、それらの段ユニット１２ａ，１２ｂはその展開状態位置において展開状態位置ロック機構によってロックされ、そのときに、上記展開移行中ロック解除機構の作用によって、２段目ユニット１２ｂと３段目ユニット１２ｃとの収納状態位置におけるロックが解除される。その状態では、３段目ユニット１２ｃから固定チャンネル４６までの間の各段ユニット１２は、依然として、隣合う２つの段ユニット１２が収納状態位置においてロックされていることで展開方向への移動が禁止されており、最下段ユニット１２ａと２段目ユニット１２ｂとが、展開状態位置においてロックされた状態で一体的に展開方向に移動する。そのような動作が上段側に向かって繰り返され、その結果、図１３（ｂ）〜図１３（ｅ）の各々に示す状態を順次経由して、図１３（ｆ）に示す展開状態に移行する。
【００８０】
各段ユニット１２の間に設けられた収納状態位置ロック機構および展開状態位置ロック機構、並びに、直上段側に設けられた収納状態位置ロック機構によるロックを解除する展開移行中ロック解除機構の作動により、本雛壇１０では、図１３に示すように、１つの段ユニット１２が直上段の段ユニット１２に対して上述の設定引出量Ｌだけ引き出される前に、その直上段の段ユニットが展開方向に移動を開始することが防止されることになる。その結果、本雛壇１０では、確実に、複数の段ユニット１２が最下段ユニット１２ａから順次引き出され、このような展開時の動作により、本雛壇１０では、円滑な展開が担保されているのである。
【００８１】
一方、収納時には、まず、図１４（ａ）に示す展開状態において、操作者がレバー１２０を操作することによって、上記展開初期ロック解除機構が作動し、最下段ユニット１２ａと２段目ユニット１２ｂとの展開状態位置におけるロックが解除される。この状態で、操作者が最下段ユニット１２ａを押し込むことによって、最下段ユニット１２ａが収納方向に移動する。このとき、２段目ユニット１２ｂから固定チャンネル４６までの間の各段ユニット１２は、隣合う２つの段ユニット１２が展開状態位置でロックされていることで収納方向への移動が禁止されている。
【００８２】
最下段ユニット１２ａが収納方向に移動して、図１４（ｂ）に示すように、最下段ユニット１２ａと２段目ユニット１２ｂとの相対位置が収納状態位置となった場合に、それらの段ユニット１２ａ，１２ｂはその収納状態位置において収納状態位置ロック機構によってロックされ、そのときに、上記収納移行中ロック解除機構の作用によって、２段目ユニット１２ｂと３段目ユニット１２ｃとの展開状態位置におけるロックが解除される。その状態では、３段目ユニット１２ｃから固定チャンネル４６までの間の各段ユニット１２は、依然として、隣合う２つの段ユニット１２が展開状態位置においてロックされていることで収納方向への移動が禁止されており、最下段ユニット１２ａと２段目ユニット１２ｂとが、収納状態位置においてロックされた状態で一体的に収納方向に移動する。そのような動作が上段側に向かって繰り返され、その結果、図１４（ｂ）〜図１４（ｅ）の各々に示す状態を順次経由して、図１４（ｆ）に示す収容状態に移行する。
【００８３】
各段ユニット１２の間に設けられた収納状態位置ロック機構および展開状態位置ロック機構、並びに、直上段側に設けられた展開状態位置ロック機構によるロックを解除する収納移行中ロック解除機構の作動により、本雛壇１０では、図１４に示すように、１つの段ユニット１２が直上段の段ユニット１２に対して上述の設定引出量Ｌに相当する距離だけ押し込まれる前に、その直上段の段ユニットが収納方向に移動を開始することが防止されることになる。その結果、本雛壇１０では、確実に、複数の段ユニット１２が最下段ユニット１２ａから順次押し込まれ、このような収納時の動作により、本雛壇１０では、円滑な収納が担保されているのである。
【００８４】
なお、本雛壇１０では、展開時における１つの展開状態位置ロック機構によるロックと、そのロック機構の直上段側の１つの収納状態位置ロック機構によるロックの解除とのタイミング、および、収納時における１つの収納状態位置ロック機構によるロックと、そのロック機構の直上段側の１つの展開状態位置ロック機構によるロックの解除とのタイミングが、適切に調整されており、下段側の段ユニットの移動に対する慣性力（イナーシャ）を上段側の段ユニットに作用させて、その慣性力を利用した上段側の段ユニットが移動が実現されている。つまり、慣性力を利用した展開，収納を行うことができ、本雛壇１０は、人力で行うにも拘わらず、比較的小さな力で容易に展開，収納することができるのである。
【符号の説明】
【００８５】
１０：可動式雛壇    １２：段ユニット（１２ａ：最下段ユニット，１２ｂ：２段目ユニット，１２ｃ：３段目ユニット，１２ｄ：４段目ユニット，１２ｅ：最上段ユニット）（１２L：下段ユニット，１２M：中段ユニット，１２U：上段ユニット）    １４：台    １６：脚    ２０：フレーム    ２２：床板    ２６：座板    ３４：ローラ    ３６：蹴込板    ４０：チャンネルベース    ４２：支柱    ４４：車輪    ４６：固定チャンネル〔固定物〕    ６０：支持プレート    ６２：第１揺動カム〔第１被係止部材〕〔収納状態位置ロック機構〕    ６４：第２揺動カム〔第２被係止部材〕〔展開状態位置ロック機構〕    ６６：第１係止ピン〔第１係止部材〕〔収納状態位置ロック機構〕    ６８：第２係止ピン〔第２係止部材〕〔展開状態位置ロック機構〕    ８０：作動ロッド    ９０：第１解除プレート〔展開移行中ロック解除機構〕    ９６：第２解除プレート〔収納移行中ロック解除機構〕    １００：解除具〔展開初期ロック解除機構〕〔収納初期ロック解除機構〕    １０８：連結桿    １１２：操作ロッド    １２０：レバー    １３４：ガイド機構
【図１】
2014101707.tif 000003
【図２】
2014101707.tif 000004
【図３】
2014101707.tif 000005
【図４】
2014101707.tif 000006
【図５】
2014101707.tif 000007
【図６】
2014101707.tif 000008
【図７】
2014101707.tif 000009
【図８】
2014101707.tif 000010
【図９】
2014101707.tif 000011
【図１０】
2014101707.tif 000012
【図１１】
2014101707.tif 000013
【図１２】
2014101707.tif 000014
【図１３】
2014101707.tif 000015
【図１４】
2014101707.tif 000016